(57)【特許請求の範囲】
【請求項１】
ボデー内にラバードームを備えるスイッチ装置において、
前記ラバードームを保持するホルダを前記ボデーとは別体で備え、
前記ラバードームと前記ホルダとを含むラバーコンプリートを前記ボデー内に備え、
前記ホルダは、前記ラバードームの先端が当接して当該ラバードームの変位を規制する規制壁を奥側に備える
ことを特徴とするスイッチ装置。
【請求項２】
前記ラバーコンプリートは、前記ラバードームの先端が前記ホルダの規制壁に当接しているとき、前記ラバードームの基端面と前記ホルダの手前側の面とが面一である
請求項１に記載のスイッチ装置。
【請求項３】
ボデー内にラバードームを備えるスイッチ装置において、
前記ラバードームを保持するホルダを前記ボデーとは別体で備え、
前記ラバードームと前記ホルダとを含むラバーコンプリートを前記ボデー内に備え、
前記ラバーコンプリートは、前記ホルダによる当該ラバーコンプリートの外面に、奥から手前に突設された操作リブを備える
ことを特徴とするスイッチ装置。
【請求項４】
ボデー内にラバードームを備えるスイッチ装置において、
前記ラバードームを保持するホルダを前記ボデーとは別体で備え、
前記ラバードームと前記ホルダとを含むラバーコンプリートを前記ボデー内に備え、
前記ボデーは、前記ラバーコンプリートの挿通孔の形状に合致するボス部を備える
ことを特徴とするスイッチ装置。
【請求項５】
ボデー内にラバードームを備えるスイッチ装置において、
前記ラバードームを保持するホルダを前記ボデーとは別体で備え、
前記ラバードームと前記ホルダとを含むラバーコンプリートを前記ボデー内に備え、
前記ラバードームは、前記ホルダの該当する部位に接触して摩擦力を与える弾性リブを備える
ことを特徴とするスイッチ装置。
【請求項６】
ボデー内にラバードームを備えるスイッチ装置において、
前記ラバードームを保持するホルダを前記ボデーとは別体で備え、
前記ラバードームと前記ホルダとを含むラバーコンプリートを前記ボデー内に備え、
前記ホルダは、前記ラバードームの保持位置の指標となる位置決め部を備え、
前記位置決め部は、前記ラバードームを挟持するように離間して配置された複数の挟持壁を有する
ことを特徴とするスイッチ装置。
【請求項７】
ボデー内に複数のラバードームを備えるスイッチ装置において、
前記ラバードームを保持するホルダを前記ボデーとは別体で備え、
前記ラバードームと前記ホルダとを含むラバーコンプリートを前記ボデー内に備え、
前記ホルダは、スイッチノブに繋がるスイッチ部品を当該スイッチ部品の可動方向から挟み込むように複数のラバードームを保持する
ことを特徴とするスイッチ装置。
【発明の詳細な説明】
【技術分野】
【０００１】
本発明は、ボデー内にラバードームを備えるスイッチ装置に関する。
【背景技術】
【０００２】
特許文献１には、ボデー（ハウジング）内にラバードーム（ゴム接点）を備えるスイッチ装置（レバースイッチ装置）が開示されている。当該スイッチ装置は、上ハウジングの上面にプリント基板（上側プリント基板）が固定されるとともに、下ハウジングの下面に別のプリント基板（下側プリント基板）が固定されている。そして、上ハウジングと上側プリント基板との間及び下ハウジングと下側プリント基板との間に、それぞれ該当するゴム接点の裾部分が挟持されている。
【先行技術文献】
【特許文献】
【０００３】
【特許文献１】実開平１−１１７０２７号公報
【発明の概要】
【発明が解決しようとする課題】
【０００４】
ラバードームを狭く奥まったところへ組付ける必要があると、組付性が悪くなる。こうした場合、組付性改善のニーズがある。
本発明は、このような問題点に着目してなされたものであって、その目的は、組付性の向上を可能にしたスイッチ装置を提供することにある。
【課題を解決するための手段】
【０００５】
上記課題を解決するスイッチ装置は、ボデー内にラバードームを備えるスイッチ装置において、前記ラバードームを保持するホルダを前記ボデーとは別体で備え、前記ラバードームと前記ホルダとを含むラバーコンプリートを前記ボデー内に備えることをその要旨としている。
【０００６】
この構成によれば、ラバードームをホルダに組付けたものがラバーコンプリートであり、そのラバーコンプリートがカセット方式によりボデーに組付けられる。ホルダがボデーとは別体のため、ラバードームを当該ホルダに組付ける際、狭く奥まったところへの組付けが回避される。これにより、ラバードームを容易に組付けることができる。したがって、組付性を向上できる。
【０００７】
上記スイッチ装置について、前記ホルダは、前記ラバードームの保持位置の指標となる位置決め部を備えることとしてもよい。
この構成によれば、位置決め部を目印にして、ラバードームをホルダに組付けることができる。
【０００８】
上記スイッチ装置について、前記ホルダは、前記ラバードームの先端が当接して当該ラバードームの変位を規制する規制壁を奥側に備えることとしてもよい。
この構成によれば、ラバードームの先端がホルダの規制壁に当接された状態で当該ラバードームを安定して保持できる。
【０００９】
上記スイッチ装置について、前記ラバーコンプリートは、前記ラバードームの先端が前記ホルダの規制壁に当接しているとき、前記ラバードームの基端面と前記ホルダの手前側の面とが面一であることとしてもよい。
【００１０】
この構成によれば、ラバードームの基端面とホルダの手前側の面とが面一となった段階で、ホルダへのラバードームの組付けが完了したことを確認できる。
上記スイッチ装置について、前記ラバーコンプリートは、前記ホルダによる当該ラバーコンプリートの外面に、奥から手前に突設された操作リブを備えることとしてもよい。
【００１１】
この構成によれば、操作リブを指で押し込むようにして、ラバーコンプリートを比較的簡単にボデーに組付けることができる。
上記スイッチ装置について、前記ボデーは、前記ラバーコンプリートの挿通孔の形状に合致するボス部を備えることとしてもよい。
【００１２】
この構成によれば、ボス部を基準に位置合わせを行い、ラバーコンプリートをボデーに組付けることができる。
上記スイッチ装置について、前記ラバードームは、前記ホルダの該当する部位に接触して摩擦力を与える弾性リブを備えることとしてもよい。
【００１３】
この構成によれば、ラバードームを弾性的に保持できる。
上記スイッチ装置について、前記ラバードームの一対のシート部のそれぞれに対応して、個別のスイッチ部品を前記ボデー内に備えることとしてもよい。
【００１４】
この構成によれば、１つのラバードームに２つのスイッチが割り当てられ、それぞれのスイッチを互いに独立して動作させることができる。
【発明の効果】
【００１５】
本発明によれば、組付性を向上できる。
【図面の簡単な説明】
【００１６】
【図１】（ａ）は組付けの手前側から見たラバーコンプリートの斜視図、（ｂ）はボデーの斜視図、（ｃ）はヒータコントローラスイッチの斜視図。
【図２】（ａ）は組付けの手前側から見た２つのラバードームの斜視図、（ｂ）はホルダの斜視図、（ｃ）はラバーコンプリートの斜視図。
【図３】（ａ）は組付けの奥側から見た２つのラバードームの斜視図、（ｂ）はホルダの斜視図、（ｃ）はラバーコンプリートの斜視図。
【図４】２つのラバードームと２つのスイッチ部品の位置関係を示す斜視図。
【発明を実施するための形態】
【００１７】
以下、スイッチ装置の一実施の形態について説明する。
図１（ａ）〜（ｃ）に示すように、スイッチ装置の一例であるヒータコントローラスイッチ１は、ボデー２内に単数又は複数（本例では２つのうち１つのみ図示）のラバーコンプリート３を備え、ラバーコンプリート３毎に本例では２つのスイッチ部品４、５をボデー２内に備える。スイッチ部品４、５は、それぞれボデー２の意匠面（図示とは反対側の面）側から当該ボデー２の所要位置に組付けられる。尚、スイッチ部品４、５は、それぞれの先端部分がボデー２の意匠面（表側の面）から突出され、当該突出された部分に図示しないスイッチノブが取り付けられる。それぞれのスイッチノブが操作されてスイッチ部品４、５が互いに独立して動作する。
【００１８】
ボデー２の裏側には、略円柱状のボス部６が突設されている。ラバーコンプリート３には、ボデー２のボス部６の外径に略等しい直径を持つ挿通孔７が形成されている。また、ラバーコンプリート３の外面には、挿通孔７の一部分を規定する周壁を含む略Ｍ字状の操作リブ８が突設されている。ボス部６を基準に位置合わせを行い、操作リブ８を指で押し込むようにして、ラバーコンプリート３がボデー２に組付けられる。尚、ボス部６と挿通孔７との関係を含め、組付性を阻害しない範囲でラバーコンプリート３の随所がボデー２の該当する部位に圧入され、最終的にはスナップフィットによりラバーコンプリート３が着脱自在にボデー２に組付けられる。
【００１９】
図２（ａ）〜（ｃ）に示すように、ラバーコンプリート３は、本例にあって２つのラバードーム９がホルダ１０によって保持されている。２つのラバードーム９はそれぞれ同じ形状であり、対称軸を含むベース部１１に関して本例では一対のシート部１２が線対称の形状である。ベース部１１は円弧の板状をなし、円弧の両端部からはそれぞれ枠状のシート部１２が延出され、各シート部１２の中央にはそれぞれの枠内を覆うドーム形状部が設定されている。各ラバードーム９のそれぞれのシート部１２には、若干の突出高さを有する弾性リブ１３が設定されている。尚、ベース部１１の円弧による凸の向きと、各シート部１２中央のドームによる凸の向きは一致している。そして、２つのラバードーム９は、それぞれの凸が対向し、且つ、互いが平行の状態で、ホルダ１０の収容スペースに収容されている。
【００２０】
ホルダ１０に設定された各ラバードーム９の収容スペースのうち、ベース部１１の形状に合致する収容スペースは、ベース部１１よりも一回り径が小さい円弧の板状の挟持壁１４（２つのラバードーム９に対応して２つの挟持壁１４）と、それらの中間位置で互いに離間する２つの略三角柱状の挟持壁１５とにより規定される。該当する挟持壁１４及び共通の挟持壁１５を目印にして、それぞれのラバードーム９がホルダ１０に組付けられる。各挟持壁１４及び各挟持壁１５はそれぞれ位置決め部に相当する。尚、各弾性リブ１３がホルダ１０の該当する部位に接触して摩擦力を与え、これにより、それぞれのラバードーム９はホルダ１０に弾性的に保持される。そして、ラバードーム９の基端面１６（ホルダ１０に組付ける際の手前側の面）と、ホルダ１０の手前側の面１７とが面一となっている。
【００２１】
図３（ａ）〜（ｃ）に示すように、ホルダ１０の奥側には、ラバードーム９の先端が当接して当該ラバードーム９の変位を規制する規制壁１８が設定されている。そして、ラバードーム９の先端がホルダ１０の規制壁１８に当接しているとき、当該ラバードーム９の基端面１６とホルダ１０の手前側の面１７とが面一となる。
【００２２】
図４に示すように、上記スイッチ部品４は、２つのラバードーム９の協働による合計４つのシート部１２のうち、それぞれのベース部１１で同じ一方の側で対向する２つのシート部１２の間に係合部４ａが介在されている。係合部４ａは、該当するスイッチノブの操作に連動して、いずれかのドーム形状部を押圧する。このとき、ドーム形状部が弾性変形して、節度が与えられる。
【００２３】
一方、上記スイッチ部品５は、上記４つのシート部１２のうち、それぞれのベース部１１で同じ他方の側で対向する２つのシート部１２の間に係合部５ａが介在されている。係合部５ａは、該当するスイッチノブの操作に連動して、いずれかのドーム形状部を押圧する。このとき、上記と同様に、節度が与えられる。
【００２４】
次に、ヒータコントローラスイッチ１の作用について説明する。ここでは、ヒータコントローラスイッチ１の組付手順を説明する。
まず、図２（ａ）〜（ｃ）に示すように、２つのラバードーム９をホルダ１０に組付ける。このとき、該当する挟持壁１４及び共通の挟持壁１５を目印にして、それぞれのラバードーム９を形状が合致する収容スペース内へスライドさせて圧入する。ラバードーム９の先端がホルダ１０の規制壁１８（図３（ａ）〜（ｃ）参照）に達すると、当該ラバードーム９の基端面１６とホルダ１０の手前側の面１７とが面一となり、当該面一状態の目視確認を経て、ホルダ１０へのラバードーム９の組付けが完了する。そして、２つのラバードーム９をホルダ１０に組み付けたものが１つのラバーコンプリート３である。
【００２５】
次いで、図１（ａ）〜（ｃ）に示すように、スイッチ部品４、５をボデー２の意匠面（図示とは反対側の面）側からそれぞれの所要位置に組み付けた後、上記ラバーコンプリート３をカセット方式によりボデー２に組付ける。このとき、該当するボス部６を基準に位置合わせを行い、操作リブ８を指で押し込むようにして、ラバーコンプリート３を圧入し、最終的にはスナップフィットによりラバーコンプリート３をボデー２に組付ける。尚、ラバーコンプリート３の交換時には、スナップフィットを解除することで、ラバーコンプリート３をボデー２から取外す。そして、本例では、ボデー２への２つのラバーコンプリート３の組付けを伴って、ヒータコントローラスイッチ１の組付けが完了する。尚、当該ヒータコントローラスイッチ１が車両パネルに装着された上で、車内の内装部品として使用されることになる。
【００２６】
以上説明したように、本実施の形態によれば、以下の効果を奏することができる。
（１）２つのラバードーム９をホルダ１０に組付けたものがラバーコンプリート３であり、そのラバーコンプリート３がカセット方式によりボデー２に組付けられる。ホルダ１０がボデー２とは別体のため、それぞれのラバードーム９を当該ホルダ１０に組付ける際、狭く奥まったところへの組付けが回避される。これにより、それぞれのラバードーム９をいずれも容易に組付けることができる。したがって、組付性を向上できる。
【００２７】
（２）該当する挟持壁１４及び共通の挟持壁１５を目印にして、それぞれのラバードーム９をホルダ１０の各該当する箇所に組付けることができる。
（３）それぞれのラバードーム９の先端がホルダ１０の該当する規制壁１８に当接された状態で当該ラバードーム９を安定して保持できる。
【００２８】
（４）それぞれのラバードーム９の基端面１６とホルダ１０の手前側の面１７とが面一となった段階で、ホルダ１０へのラバードーム９の組付けが完了したことを確認できる。
（５）操作リブ８を指で押し込むようにして、ラバーコンプリート３を比較的簡単にボデー２に組付けることができる。
【００２９】
（６）ボス部６を基準に位置合わせを行い、ラバーコンプリート３をボデー２に組付けることができる。
（７）それぞれのラバードーム９は、ホルダ１０の該当する部位に接触して摩擦力を与える弾性リブ１３を備える。これにより、ラバードーム９を弾性的に保持できる。
【００３０】
（８）１つのラバードーム９に２つのスイッチ（スイッチ部品４又はスイッチ部品５を含む）が割り当てられ、それぞれのスイッチを互いに独立して動作させることができる。
尚、上記実施の形態は、次のように変更して具体化することも可能である。
【００３１】
・ラバードーム９のドーム形状部によってスイッチ操作に節度を与える構成に限定されない。ドーム形状部にスイッチ接点を設定してもよい。
・２つのラバードーム９の協働による合計４つのシート部１２のうち、それぞれのベース部１１で同じ一方の側で対向する２つのシート部１２の間に係合部４ａが介在され、他方の側で対向する２つのシート部１２の間に係合部５ａが介在される構成に限定されない。ラバーコンプリート３が単一のラバードーム９を備え、合計２つのシート部１２のうち、一方のシート部１２に係合部４ａが割り当てられ、他方のシート部１２に係合部５ａが割り当てられてもよい。
【００３２】
・ラバードーム９及びホルダ１０及びボデー２の形状は上記実施の形態に限定されない。
・本発明に係るスイッチ装置はヒータコントローラスイッチ１に限定されない。
【００３３】
次に、上記実施の形態及び別例から把握できる技術的思想について記載する。
（イ）スイッチ装置において、前記ラバードームは、対称軸を含むベース部に関して一対のシート部が線対称の形状であり、前記ホルダは、前記ラバードームのベース部に対応して前記位置決め部を備えること。
【００３４】
（ロ）スイッチ装置において、前記ホルダの位置決め部は、前記ラバードームのベース部の形状に合致する収容スペースを規定する挟持壁を含むこと。
【符号の説明】
【００３５】
１…ヒータコントローラスイッチ（スイッチ装置）、２…ボデー、３…ラバーコンプリート、４…スイッチ部品、４ａ…係合部、５…スイッチ部品、５ａ…係合部、６…ボス部、７…挿通孔、８…操作リブ、９…ラバードーム、１０…ホルダ、１１…ベース部、１２…シート部、１３…弾性リブ、１４…挟持壁（位置決め部）、１５…挟持壁（位置決め部）、１６…基端面、１７…面、１８…規制壁。
【図１】
0006294290.tif 000002
【図２】
0006294290.tif 000003
【図３】
0006294290.tif 000004
【図４】
0006294290.tif 000005